(57)【要約】【課題】袋体を展開または閉じ合わせることができ、袋体に食品を入れて携帯しやすい食品収納バッグを提供すること。【解決手段】フレームセット２が複数の外枠３と複数の内枠４を含み、外枠３の内側に２つの嵌合槽３１が形成され、１つの外枠３に可動部材３３が設置され、別の外枠３に、可動部材３３と係脱する槽体３４が設けられ、内枠４が外枠３の内側に設置され、内枠４の外側に２つの嵌入体４１が設置され、嵌入体４１が外枠３の嵌合槽３１内に嵌置され、枢結部材５が、隣接する外枠３及び内枠４間に跨設され、枢結部材５を嵌合槽３１と嵌入体４１に同時に挿通することにより、外枠３と内枠４とを結合するとともに、隣接する外枠３及び内枠４同士を開閉可能に連結し、袋体６の開口辺縁６１に沿って内枠４が配置され、開口辺縁６１が内枠４を被覆する。【選択図】図２
0003227505.tif 000002
【実用新案登録請求の範囲】
【請求項１】
食品収納バッグであって、フレームセットと、複数の枢結部材と、袋体と、を含み、
該フレームセットが複数の外枠と複数の内枠を含み、各外枠の内側に２つの嵌合槽が形成され、１つの外枠に可動部材が設置され、別の外枠に、前記可動部材と係脱する槽体が設けられ、前記内枠が前記外枠の内側に設置され、かつ各内枠の外側に２つの嵌入体が設置され、該嵌入体が前記外枠の嵌合槽内に嵌置され、
前記枢結部材が、隣接する外枠及び内枠間に跨設され、前記枢結部材を前記外枠の嵌合槽と前記内枠の嵌入体に同時に挿通することにより、前記外枠と内枠とを結合するとともに、隣接する外枠及び内枠同士を開閉可能に連結し、
前記袋体の開口辺縁に沿って前記内枠が配置され、該開口辺縁が前記内枠を被覆する、
ことを特徴とする、食品収納バッグ。
【請求項２】
前記外枠の嵌合槽に、前記枢結部材を挿通するための第１の穿通孔が設けられた、ことを特徴とする、請求項１に記載の食品収納バッグ。
【請求項３】
前記可動部材の表面に、前記外枠の槽体に嵌置可能な少なくとも１つの凸体が設置された、ことを特徴とする、請求項１に記載の食品収納バッグ。
【請求項４】
前記内枠の嵌入体に、前記枢結部材を挿通するための第２の穿通孔が設けられた、ことを特徴とする、請求項１に記載の食品収納バッグ。
【請求項５】
前記外枠の内側に凹陥槽が形成され、前記内枠の外側に凸ブロックが設置され、前記内枠が前記外枠の内側に設置されたとき、前記内枠の凸ブロックが前記外枠の凹陥槽内に嵌置される、ことを特徴とする、請求項１に記載の食品収納バッグ。
【請求項６】
前記枢結部材の一面に２つの凸栓が設置され、一方の凸栓が一側に配置された外枠及び内枠に挿通され、他方の凸栓が他側に配置された外枠及び内枠に挿通された、ことを特徴とする、請求項１に記載の食品収納バッグ。
【請求項７】
前記枢結部材の他面に、ストラップ部材を取り付けるための取付部材が設置された、ことを特徴とする、請求項１に記載の食品収納バッグ。
【請求項８】
前記袋体がシリコン材質で製造される、ことを特徴とする、請求項１に記載の食品収納バッグ。
【考案の詳細な説明】
【技術分野】
【０００１】
本考案は、食品を入れるのに好適な食品収納バッグに関する。
【背景技術】
【０００２】
近年、環境保護意識の高まりにより、多くの国で自然分解できないプラスチック材質で製造された食品用袋の使用がすでに禁止されており、政府の法令に対応するため、多くのメーカーが繰り返し使用できる食品容器の開発に取り組んでいる。
消費者は、さまざまな規格と寸法のものから選択して購入することができるが、現在市販されている食品容器はほとんどが相当の重量と体積を有し、携帯に不便であるため、多くの消費者が食品容器の使用を諦め、プラスチック材質で製造された袋の使用を継続している。
また、現在、多くのメーカーが分解可能な材質で製造された袋を販売しているが、分解も完全な自然分解ではないため、まだ環境保護問題の懸念がある。
【考案の概要】
【考案が解決しようとする課題】
【０００３】
本考案が解決しようとする課題は、袋体を展開または閉じ合わせることができ、袋体に食品を入れて携帯しやすい食品収納バッグを提供することにある。
【課題を解決するための手段】
【０００４】
本考案の食品収納は、フレームセットと、複数の枢結部材と、袋体と、を含み、該フレームセットが複数の外枠と複数の内枠を含み、各外枠の内側に２つの嵌合槽が形成され、１つの外枠に可動部材が設置され、別の外枠に、前記可動部材と係脱する槽体が設けられ、前記内枠が前記外枠の内側に設置され、かつ各内枠の外側に２つの嵌入体が設置され、該嵌入体が前記外枠の嵌合槽内に嵌置され、前記枢結部材が、隣接する外枠及び内枠間に跨設され、前記枢結部材を前記外枠の嵌合槽と前記内枠の嵌入体に同時に挿通することにより、前記外枠と内枠とを結合するとともに、隣接する外枠及び内枠同士を開閉可能に連結し、前記袋体の開口辺縁に沿って前記内枠が配置され、該開口辺縁が前記内枠を被覆する。
【０００５】
一実施形態として、前記外枠の嵌合槽に、前記枢結部材を挿通するための第１の穿通孔が設けられる。
【０００６】
一実施形態として、前記可動部材の表面に、前記外枠の槽体に嵌置可能な少なくとも１つの凸体が設置される。
【０００７】
一実施形態として、前記内枠の嵌入体に、前記枢結部材を挿通するための第２の穿通孔が設けられる。
【０００８】
一実施形態として、前記外枠の内側に凹陥槽が形成され、前記内枠の外側に凸ブロックが設置され、前記内枠が前記外枠の内側に設置されたとき、前記内枠の凸ブロックが前記外枠の凹陥槽内に嵌置される。
【０００９】
一実施形態として、前記枢結部材の一面に２つの凸栓が設置され、一方の凸栓が一側に配置された外枠及び内枠に挿通され、他方の凸栓が他側に配置された外枠及び内枠に挿通される。
【００１０】
一実施形態として、前記枢結部材の他面に、ストラップ部材を取り付けるための取付部材が設置される。
【００１１】
一実施形態として、前記袋体がシリコン材質で製造される。
【考案の効果】
【００１２】
本考案によれば、フレームユニットを開閉することにより、袋体を展開または閉じ合わせることができるので、食品を袋体に収納して持ち運びしやすく、繰り返し使用できて環境に与える負荷を低減できる。
【図面の簡単な説明】
【００１３】
【図１】本考案の実施形態を示す食品収納バッグの斜視図である。
【図２】本考案の実施形態を示す食品収納バッグの分解斜視図である。
【図３】本考案の実施形態を示す食品収納バッグの断面図である。
【図４】本考案の実施形態を示す食品収納バッグの収納過程１における斜視図である。
【図５】本考案の実施形態を示す食品収納バッグの収納過程２における斜視図である。
【図６】本考案の実施形態を示す食品収納バッグの収納過程３における斜視図である。
【図７】本考案の実施形態を示す食品収納バッグの他の使用状態における斜視図である。
【図８】本考案の実施形態を示す食品収納バッグのさらに他の使用状態における斜視図である。
【考案を実施するための形態】
【００１４】
以下、図面に基づいて本考案の実施形態を詳細に説明する。
図１は、食品収納バッグの斜視図、図２は、食品収納バッグの分解斜視図、図３は、食品収納バッグの断面図、図４〜図６は、食品収納バッグの収納過程を示す斜視図、図７及び図８は、食品収納バッグのそれぞれ別の使用状態を示す斜視図である。
【００１５】
図１〜図３に示すように、本考案の食品収納バッグ１は、フレームセット２（図２）と、複数の枢結部材５と、袋体６を含む。
【００１６】
フレームセット２は、複数の外枠３と複数の内枠４を含む。
各外枠３の内側に２つの対応する嵌合槽３１と、凹陥槽３２が形成される。外枠３の嵌合槽３１に第１の穿通孔３１１が設けられる。
また、１つの外枠３の表面に可動部材３３が設置され、別の外枠３の表面に可動部材３３と係脱する槽体３４が設けられる。可動部材３３の表面には少なくとも１つの凸体３３１が設置される。
内枠４は外枠３の内側に設置され、かつ各内枠４の外側に２つの対応する嵌入体４１と、凸ブロック４２が設置される。内枠４の嵌入体４１に第２の穿通孔４１１が設けられる。
内枠４が外枠３の内側に設置されたとき、内枠４の凸ブロック４２が外枠３の凹陥槽３２内に嵌置され、嵌入体４１が外枠３の嵌合槽３１内に嵌置される。
【００１７】
各枢結部材５の一面には２つの凸栓５１が設置され、枢結部材５の他面に取付部材５２が設置される。
枢結部材５は、隣接する外枠３及び内枠４間に跨設され、一方の凸栓５１が一側に配置された外枠３の嵌合槽３１に形成された第１の穿通孔３１１及び内枠４の嵌入体４１に形成された第２の穿通孔４１１に同時に挿通され、他方の凸栓５１が他側に配置された外枠３の嵌合槽３１の第１の穿通孔３１１及び内枠４の嵌入体４１の第２の穿通孔４１１に同時に挿通される。
【００１８】
袋体６は、シリコン材質で製造され、袋体６の開口辺縁６１に沿って内枠４が配置され、開口辺縁６１が内枠４を被覆する（図３）。
【００１９】
食品収納バッグ１を組み立てるには、袋体６の開口辺縁６１で複数の内枠４を被覆してから、内枠４を外枠３の内側に設置し、かつ枢結部材５の凸栓５１を嵌合槽３１の第１の穿通孔３１１と嵌入体４１の第２の穿通孔４１１に挿通して、外枠３と内枠４を結合すると、外枠３及び内枠４を一定角度まで展開したり、閉じ合わせたりすることができる。
【００２０】
図４に示すように、フレームセット２の外枠３と内枠４を展開した後、食品（材）を袋体６内に入れ、最後にフレームセット２の外枠３と内枠４を閉じ合わせて袋体６を閉じ、これにより手軽に袋体６内に入れた食品（材）を携帯することができる。
【００２１】
図５に示すように、フレームセット２の外枠３と内枠４を閉じ合わせた後、１つの外枠３に設置された可動部材３３を回動させ、図６に示すように、可動部材３３に設けられた凸体３３１を別の外枠３に設置された槽体３４に嵌置することで、閉じた状態を維持することができる。
【００２２】
このほか、外枠３と内枠４の安定性を維持できるようにするために、外枠３の内側に凹陥槽３２が設置され、内枠４の外側に凸ブロック４２が設置され、内枠４の凸ブロック４２を外枠３の凹陥槽３２内に嵌置することで、外枠３と内枠４の結合強度を高めることができる。
【００２３】
枢結部材５は、設置された凸栓５１を嵌合槽３１の第１の穿通孔３１１と嵌入体４１の第２の穿通孔４１１に同時に挿通させるために用いられるほか、枢結部材５の外面に設置された取付部材５２により、図７と図８に示すように、ストラップ部材７を取り付けることができる。  ストラップ部材７の両端を２つの枢結部材５に取り付けるか（図７）、一つの枢結部材５に単独でストラップ部材７を取り付けることもできる（図８）。
これにより、使用者がストラップ部材７を肩に掛けたり、手に持ったりして携帯時の利便性を高めることができる。
【００２４】
以上は、本考案の実施形態を説明したものであり、本考案の権利範囲を限定するものではなく、当業者であれば本考案の要旨を逸脱することなく変更や修飾を加えることが可能であり、本考案の権利範囲は添付の実用新案登録請求の範囲に準じる。
【符号の説明】
【００２５】
１            食品収納バッグ
２            フレームセット
３            外枠
３１          嵌合槽
３１１        第１の穿通孔
３２          凹陥槽
３３          可動部材
３３１        凸体
３４          槽体    
４            内枠
４１          嵌入体
４１１        第２の穿通孔
４２          凸ブロック
５            枢結部材
５１          凸栓
５２          取付部材
６            袋体
６１          開口辺縁
７            ストラップ部材
【図１】
0003227505.tif 000003
【図２】
0003227505.tif 000004
【図３】
0003227505.tif 000005
【図４】
0003227505.tif 000006
【図５】
0003227505.tif 000007
【図６】
0003227505.tif 000008
【図７】
0003227505.tif 000009
【図８】
0003227505.tif 000010